(57)【特許請求の範囲】
【請求項１】
スタジオと、複数のテレビ受像機と、前記スタジオから送信された信号を多段に中継すると共に中継途中でテレビ受像機に放送電波を送信する複数の送信所とを有するデジタルＴＶ放送システムにおいて、
前記スタジオと前記各送信所とは制御線で接続され、
前記スタジオには、発信した信号を前記制御線を介して返信される時間を遅延時間として各々測定する遅延時間測定手段と、前記遅延時間測定手段にて測定された遅延時間を基にして前記各送信所から前記テレビ受像機に放送用電波を送信するタイミングが同じになるよう、前記各送信所での遅延量を決める遅延量信号を発生させる遅延量信号発生手段と、スタジオで撮影された映像及び音声を変調する変調手段と、変調された信号を送信すると共に前記遅延量信号を送信する送信手段とが備えられているスタジオであり、
前記各送信所は、前記スタジオから発信された信号を前記制御線を介して受信し、前記遅延時間測定手段に返信する返信手段と、前記スタジオから送信された信号を受信する受信手段と、前記受信手段で受信された中継信号を次段へ送信する送信手段と、前記受信手段で受信された中継信号を受信した当該送信所での遅延量信号に示す遅延量で遅延する遅延手段と、前記遅延手段で遅延された中継信号を放送電波に変換して送信する放送用送信手段とを備える送信所であり、
前記各送信所の返信手段は、当該送信所における遅延手段で遅延した信号を制御信号として入力し、接続する制御線を介してスタジオの遅延時間測定手段に返信する返信手段であり、
前記遅延時間測定手段は、各制御線を介して返信手段から返信された制御信号の時間差を測定し、測定結果を遅延量信号発生手段に出力する遅延時間測定手段であり、
前記遅延量信号発生手段は、前記遅延時間測定手段で測定された返信信号の時間差が適正な時間差であるかを判定し、不適正な時間差であれば各送信所での遅延量を調整して遅延量信号を再発生させる遅延量信号発生手段であることを特徴とするデジタルＴＶ放送システム。
【発明の詳細な説明】
【０００１】
【発明の属する技術分野】
本発明は、ＯＦＤＭ（Orthogonal Frequency Division Multiple：直交周波数多重変調）方式の地上波デジタルＴＶ放送システム（ＳＦＮ（Single Frequency Network：単一周波数網）システム）に係り、特に、スタジオ（演奏所）から各送信所間の各遅延時間の自動調整を行うことができるデジタルＴＶ放送システムに関する。
【０００２】
【従来の技術】
従来のアナログＴＶ放送システムにおけるＳＴＬ（Studio Transmitter Link ）／ＴＴＬ（Transmitter Transmitter Link）システムについて図３を用いて説明する。図３は、従来のアナログＴＶ放送システムにおけるＳＴＬ／ＴＴＬシステムの構成図である。
従来のＳＴＬ／ＴＴＬシステムは、スタジオ、親局、子局／中継局２、子局／中継局３、複数のテレビ受像機（ＴＶ−ＲＸ）１６，２６，３６から基本的に構成されている。
尚、スタジオと親局との間はマイクロ波を用いてリンクするＳＴＬ単区間通信であり、親局と子局／中継局２との間及び子局／中継局２と子局／中継局３との間はマイクロ波を用いてリンクするＴＴＬ単区間通信である。
また、周波数ｆ10，ｆ21，ｆ32は、Ａ〜ＣバンドのＳＴＬ／ＴＴＬ用周波数であり、周波数ｆ1-1,ｆ2-2,ｆ3-3は、それぞれ異なるＴＶ放送用周波数である。
【０００３】
次に、図３のシステムにおける各部の構成を具体的に説明する。
スタジオは、撮影した映像及び音声をＳＴＬ信号（放送用ＩＦ信号）に変調するスタジオ用変調器（ＭＯＤ）５と、変調されたＳＴＬ信号を周波数ｆ10にて送信するＳＴＬ送信機（ＳＴＬ−ＴＸ0  ）２とを備えている。
ＭＯＤ５では、ＯＦＤＭ（直交周波数多重変調）が為される。
【０００４】
親局は、ＳＴＬ信号の周波数ｆ10を受信するＳＴＬ受信機（ＳＴＬ−ＲＸ1 ）１１と、ＳＴＬ受信機１１で受信されたＳＴＬ信号を中継波ＩＦ信号として入力し、周波数ｆ21のＴＴＬ信号で送信するＴＴＬ送信機（ＴＴＬ−ＴＸ1 ）１２と、受信されたＳＴＬ信号を放送波ＩＦ信号として入力し、ＴＶ放送用周波数ｆ1-1 でテレビ受像機（ＴＶ−ＲＸ）に送信する放送用送信機（ＢＣ−ＴＸ1 ）１３とを備えている。
【０００５】
子局／中継局２は、ＴＴＬ信号の周波数ｆ21を受信するＴＴＬ受信機（ＴＴＬ−ＲＸ2 ）２１と、ＴＴＬ受信機２１で受信されたＴＴＬ信号を中継波ＩＦ信号として入力し、周波数ｆ32のＴＴＬ信号で送信するＴＴＬ送信機（ＴＴＬ−ＴＸ2 ）２２と、受信されたＴＴＬ信号を放送波ＩＦ信号として入力し、ＴＶ放送用周波数ｆ2-2 でテレビ受像機（ＴＶ−ＲＸ）に送信する放送用送信機（ＢＣ−ＴＸ2 ）２３とを備えている。
【０００６】
子局／中継局３は、ＴＴＬ信号の周波数ｆ32を受信するＴＴＬ受信機（ＴＴＬ−ＲＸ3 ）３１と、ＴＴＬ受信機３１で受信されたＴＴＬ信号を放送波ＩＦ信号として入力し、ＴＶ放送用周波数ｆ3-3 でテレビ受像機（ＴＶ−ＲＸ）に送信する放送用送信機（ＢＣ−ＴＸ3 ）３２とを備えている。
【０００７】
テレビ受像機（ＴＶ−ＲＸ1,ＴＶ−ＲＸ2,ＴＶ−ＲＸ3 ）１６，２６，３６は、親局、子局／中継局２、子局／中継局３からそれぞれ異なるＴＶ放送用周波数ｆ1-1,ｆ2-2,ｆ3-3 （それぞれ異なるＴＶチャンネル）を受信し、放送番組を放映する。
【０００８】
ここで、各送信所（親局、子局／中継局２、子局／中継局３）からはそれぞれ違う周波数（それぞれ違うＴ∨チャンネル）が送信され、各放送用受信機（各家庭のＴＶ）では同じ周波数を受けることはないようになっている。故に、従来のアナログＴＶ放送のＳＴＬ／ＴＴＬシステムでは、チャンネル毎の遅延時間の調整は行われておらず、必要もない。
【０００９】
尚、デジタル放送に関する従来技術としては、平成１１年（１９９９年）４月９日公開の特開平１１−９８１０４号「階層伝送による多重方式とその送信装置、中継装置」（出願人：株式会社次世代デジタルテレビジョン放送システム研究所、日本電気株式会社、発明者：樋口裕二他）がある。
この発明は、ＯＦＤＭ方式による通信又は放送において、階層変調により中継用の信号と中継装置の制御信号とを階層変調多重し、伝送するものであり、各中継装置に制御、中継装置の動作状態の監視、連絡回線の設定を有線等による別回線を用いることなく実現するものである。
【００１０】
【発明が解決しようとする課題】
しかしながら、地上波デジタルＴＶ放送システム（ＳＦＮシステム）については、以下に説明する課題がある。
デジタルＴＶ放送システムでは、システムの構成上、各放送用受信機（ＴＶ−ＲＸ）は複数の送信所から同じ周波数を受けることになり、また、放送用受信機にてデジタル変調の同一の信号を受け取るため、各送信所からの送信波の絶対時間をなるべく同じにしてやる必要がある。その為にはスタジオ（演奏所）から送信所間の相対遅延時間を調整して同じにする必要がある。
【００１１】
本発明は上記実情に鑑みて為されたもので、スタジオ（演奏所）から各送信所間の相対遅延量を自動調整し、安定性に優れたデジタルＴＶ放送システムを提供することを目的とする。
【００１２】
【課題を解決するための手段】
上記従来例の問題点を解決するための本発明は、デジタルＴＶ放送システムにおいて、スタジオと各送信所とは制御線で接続され、スタジオには、発信した信号を制御線を介して返信される時間を遅延時間として各々測定する遅延時間測定手段と、遅延時間測定手段にて測定された遅延時間を基にして各送信所からテレビ受像機に放送用電波を送信するタイミングが同じになるよう、各送信所での遅延量を決める遅延量信号を発生させる遅延量信号発生手段と、スタジオで撮影された映像及び音声を変調する変調手段と、変調された信号を送信すると共に遅延量信号を送信する送信手段とが備えられているスタジオであり、各送信所は、スタジオから発信された信号を制御線を介して受信し、遅延時間測定手段に返信する返信手段と、スタジオから送信された信号を受信する受信手段と、受信手段で受信された中継信号を次段へ送信する送信手段と、受信手段で受信された中継信号を受信した当該送信所での遅延量信号に示す遅延量で遅延する遅延手段と、遅延手段で遅延された中継信号を放送電波に変換して送信する放送用送信手段とを備える送信所であり、各送信所の返信手段は、当該送信所における遅延手段で遅延した信号を制御信号として入力し、接続する制御線を介してスタジオの遅延時間測定手段に返信する返信手段であり、遅延時間測定手段は、各制御線を介して返信手段から返信された制御信号の時間差を測定し、測定結果を遅延量信号発生手段に出力する遅延時間測定手段であり、遅延量信号発生手段は、遅延時間測定手段で測定された返信信号の時間差が適正な時間差であるかを判定し、不適正な時間差であれば各送信所での遅延量を調整して遅延量信号を再発生させる遅延量信号発生手段であることを特徴としており、テレビ受像機に放送用電波が同じタイミングで送信され、安定したシステムとすることができる。
【００１３】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１４】
本発明に係るデジタルＴＶ放送システムの上位概念は、スタジオと各送信所との間を各々制御線で接続し、スタジオから発信した信号が返信される時間を遅延時間として各々測定し、測定された遅延時間を基にして各送信所からテレビ受像機に放送用電波を送信するタイミングが同じになるよう、各送信所での遅延量を決める遅延量信号をスタジオから各送信所に送信し、各送信所では受信した当該送信所での遅延量に従って中継信号を遅延させて放送電波にてテレビ受像機に送信するものである。
これにより、テレビ受像機に放送用電波が同じタイミングで送信され、安定したシステムとすることができる。
【００１５】
また、本発明に係るデジタルＴＶ放送システムの中位概念は、スタジオと各送信所とは制御線で接続され、スタジオには、発信した信号を制御線を介して返信される時間を遅延時間として各々測定する遅延時間測定手段と、遅延時間測定手段にて測定された遅延時間を基にして各送信所からテレビ受像機に放送用電波を送信するタイミングが同じになるよう、各送信所での遅延量を決める遅延量信号を発生させる遅延量信号発生手段と、スタジオで撮影された映像及び音声を変調する変調手段と、変調された信号を送信すると共に遅延量信号を送信する送信手段とが備えられ、各送信所は、スタジオから発信された信号を制御線を介して受信し、遅延時間測定手段に返信する返信手段と、スタジオから送信された信号を受信する受信手段と、受信手段で受信された中継信号を次段へ送信する送信手段と、受信手段で受信された中継信号を受信した当該送信所での遅延量信号に示す遅延量で遅延する遅延手段と、遅延手段で遅延された中継信号を放送電波に変換して送信する放送用送信手段とを備えるものである。
これにより、テレビ受像機に放送用電波が同じタイミングで送信され、安定したシステムとすることができる。
【００１６】
ここで、遅延時間測定手段は図１の遅延時間測定器（ＣＯＮＴ）３に相当し、遅延量信号発生手段は図１の時刻整合信号発生器（Ｔ−ＡＤＪ−ＳＩＧ−ＳＧ）４に相当し、変調手段はスタジオ用変調器（ＢＳＴ−ＯＦＤＭ  ＭＯＤ）１に相当し、スタジオの送信手段はＳＴＬ送信機（ＳＴＬ−ＴＸ0 ）２に相当し、返信手段は制御信号折り返し器（ＣＯＮＴ−ＲＥ1 ）１５、２５，３５に相当し、受信手段はＳＴＬ受信機（ＳＴＬ−ＲＸ1 ）１１又はＴＴＬ受信機（ＴＴＬ−ＲＸ2,ＴＴＬ−ＲＸ3 ）２１，３１に相当し、送信所の送信手段はＴＴＬ送信機（ＴＴＬ−ＴＸ1,ＴＴＬ−ＴＸ2,ＴＴＬ−ＴＸ3 ）１２，２２，３２に相当し、遅延手段は遅延等価器（ＤＬＹ1,ＤＬＹ2,ＤＬＹ3 ）１４、２４，３４に相当し、放送用送信手段は放送用送信機（ＢＣ−ＴＸ1,ＢＣ−ＴＸ2,ＢＣ−ＴＸ3 ）１３、２３，３３に相当する。
【００１７】
また、本発明に係るデジタルＴＶ放送システムは、上記システムにおいて、各送信所の返信手段は、当該送信所における遅延手段で遅延した信号を制御信号として入力し、接続する制御線を介してスタジオの遅延時間測定手段に返信するものであり、遅延時間測定手段は、各制御線を介して返信手段から返信された制御信号のタイミングを測定し、測定結果を遅延量信号発生手段に出力するものであり、遅延量信号発生手段は、遅延時間測定手段で測定された返信信号のタイミングを判定し、各送信所での遅延量を調整して遅延量信号を再発生させるものである。
これにより、放送用電波が各送信所から同時に送信されるタイミングの精度を向上させることができる。
【００１８】
本発明の実施形態に係るデジタルＴＶ放送システムについて図１を用いて説明する。図１は、本発明の実施の形態に係るデジタルＴＶ放送システムの構成図である。尚、図３と同様の構成をとる部分については同一の符号を付して説明する。
本実施の形態のデジタルＴＶ放送システムにおけるＳＴＬ／ＴＴＬシステムは、図１に示すように、スタジオ、親局、子局／中継局２、子局／中継局３、複数のテレビ受像機（ＴＶ−ＲＸ）１６，２６，３６から基本的に構成されている。
尚、スタジオと親局との間はＳＴＬ単区間通信であり、親局と子局／中継局２との間及び子局／中継局２と子局／中継局３との間はＴＴＬ単区間通信である。
また、周波数ｆ10，ｆ21，ｆ32は、Ａ〜ＣバンドのＳＴＬ／ＴＴＬ用周波数であり、周波数ｆ1-1,ｆ1-2,ｆ1-3は、それぞれ同じＴＶ放送用周波数である。
【００１９】
次に、図１における各部の構成を具体的に説明する。
スタジオは、撮影した映像及び音声をＢＳＴ−ＯＦＤＭ変調してＳＴＬ信号（放送波ＩＦ信号）を出力するスタジオ用変調器（ＢＳＴ−ＯＦＤＭ  ＭＯＤ）１と、変調されたＳＴＬ信号をＳＨＦ帯の電波に変換し、周波数ｆ10にて送信するＳＴＬ送信機（ＳＴＬ−ＴＸ0 ）２と、各送信所から送信される遅延時間測定信号を受信して遅延時間を測定する遅延時間測定器（ＣＯＮＴ）３と、遅延時間の測定結果から各送信所への時刻整合信号を発生する時刻整合信号発生器（Ｔ−ＡＤＪ−ＳＩＧ−ＳＧ）４とを備えている。
【００２０】
親局（第１の送信所）は、ＳＴＬ信号の周波数ｆ10を受信して中継波ＩＦ信号に変換するＳＴＬ受信機（ＳＴＬ−ＲＸ1 ）１１と、ＳＴＬ受信機１１で受信された中継波ＩＦ信号を入力し、第２のＳＨＦ帯の電波に変換し、周波数ｆ21のＴＴＬ信号で送信するＴＴＬ送信機（ＴＴＬ−ＴＸ1 ）１２と、受信された中継波ＩＦ信号を特定時間遅延させ、一方を放送波ＩＦ信号として出力すると共に他方を時刻整合信号として出力する遅延等価器（ＤＬＹ1 ）１４と、遅延された放送波ＩＦ信号を入力し、放送用電波に変換し、ＴＶ放送用周波数ｆ1-1 でテレビ受像機（ＴＶ−ＲＸ）に送信する放送用送信機（ＢＣ−ＴＸ1 ）１３と、時刻整合信号をスタジオの遅延時間測定器３にループバックする制御信号折り返し器（ＣＯＮＴ−ＲＥ1 ）１５とを備えている。
【００２１】
子局／中継局２（第２の送信所、第２のＴＴＬ中継局）は、ＴＴＬ信号の周波数ｆ21を受信して中継波ＩＦ信号に変換するＴＴＬ受信機（ＴＴＬ−ＲＸ2 ）２１と、ＴＴＬ受信機２１で受信された中継波ＩＦ信号を入力し、周波数ｆ32のＴＴＬ信号で送信するＴＴＬ送信機（ＴＴＬ−ＴＸ2 ）２２と、受信された中継波ＩＦ信号を特定時間遅延させ、一方を放送波ＩＦ信号として出力すると共に他方を時刻整合信号として出力する遅延等価器（ＤＬＹ2 ）２４と、遅延された放送波ＩＦ信号を入力し、放送用電波に変換し、ＴＶ放送用周波数ｆ2-2 でテレビ受像機（ＴＶ−ＲＸ）に送信する放送用送信機（ＢＣ−ＴＸ2 ）２３と、時刻整合信号をスタジオの遅延時間測定器３にループバックする制御信号折り返し器（ＣＯＮＴ−ＲＥ2 ）２５とを備えている。
【００２２】
子局／中継局３（第３の送信所、第３のＴＴＬ中継局）は、ＴＴＬ信号の周波数ｆ32を受信して中継波ＩＦ信号に変換するＴＴＬ受信機（ＴＴＬ−ＲＸ3 ）３１と、ＴＴＬ受信機３１で受信された中継波ＩＦ信号を特定時間遅延させ、一方を放送波ＩＦ信号として出力すると共に他方を時刻整合信号として出力する遅延等価器（ＤＬＹ3 ）３４と、遅延された放送波ＩＦ信号を入力し、放送用電波に変換し、ＴＶ放送用周波数ｆ3-3 でテレビ受像機（ＴＶ−ＲＸ）に送信する放送用送信機（ＢＣ−ＴＸ3 ）３２と、時刻整合信号をスタジオの遅延時間測定器３にループバックする制御信号折り返し器（ＣＯＮＴ−ＲＥ3 ）３５とを備えている。
【００２３】
テレビ受像機（ＴＶ−ＲＸ1,ＴＶ−ＲＸ2,ＴＶ−ＲＸ3 ）１６，２６，３６は、親局、子局／中継局２、子局／中継局３から同一のＴＶ放送用周波数ｆ1-1,ｆ1-2,ｆ1-3 （同一のＴＶチャンネル）を受信し、放送番組を放映する。
また、スタジオの遅延時刻測定器３と各送信所の制御信号折り返し器１５，２５，３５との間は、制御線（１）１７、制御線（２）２７、制御線（３）３７とで双方向に信号のやりとりができるよう接続されている。
【００２４】
本発明の実施の形態に係るデジタルＴＶ放送システムにおける映像及び音声のデータ送信の技術自体は従来のものと変わらないが、データ送信のタイミングを調整する部分に本発明の特徴がある。以下、本システムにおけるデータ送信のタイミングを制御する構成及び動作について具体的に図１、図２を用いて説明する。図２は、本発明の実施の形態に係るデジタルＴＶ放送システムにおける遅延処理を行うタイミングチャート図である。
【００２５】
スタジオの遅延時間測定器（ＣＯＮＴ）３は、親局、子局／中継局２、子局／中継局３の各送信所における遅延時間を測定し、測定結果を時刻整合信号発生器４に出力する。
ここで、遅延時間とは、遅延時間測定器３から遅延時間測定信号を各送信所に制御線（１）（２）（３）を介して送信し、その遅延時間測定信号が返信されるまでの時間を測定し、各送信所における遅延時間としている。
【００２６】
これにより、各送信所における遅延時間が決定される。特に、本発明の実施の形態においては、各送信所から遅延時間測定信号が戻ってくる時間を遅延時間としている。すなわち、遅延時間＝（遅延時間測定器３から遅延時間測定信号が発信されて戻ってくるまでの時間）／２ということになる。
図２に示すように、スタジオと第１の送信所（ＳＴＬ送信所：親局）との間では遅延時間１が測定され、スタジオと第２の送信所（ＴＴＬ送信所：子局／中継局２）との間では遅延時間２が測定され、スタジオと第３の送信所（ＴＴＬ送信所：子局／中継局３）との間では遅延時間３が測定されている。
【００２７】
スタジオの時刻整合信号発生器（Ｔ−ＡＤＪ−ＳＩＧ−ＳＧ）４は、遅延時間測定器３で測定された遅延時間の内、最長の時間を基準として時刻整合信号を生成する。
時刻整合信号とは、各送信所において予め異なる相対遅延時間を設定させるための信号であり、当該各相対遅延時間に従って各送信所がテレビ受像機１６，２６，３６に放送用電波を送信すればテレビ受像機に各送信所から電波が同時に送信され、テレビ受像機で同時に電波が受信できるというものである。
【００２８】
具体的には、図２に示すように、第３の送信所（子局／中継局３）における遅延時間３が最長であるので、第３の送信所における遅延時間以上の遅延を第１の送信所、第２の送信所において行う必要がある。
第３の送信所での遅延量を遅延量３とすると、第２の送信所での遅延量２は遅延量３に第３の送信所の遅延時間３を加算したものとなり、また、第１の送信所での遅延量１は遅延量２に第２の送信所の遅延時間２を加算したものとなる。換言すると、第１の送信所での遅延量１は遅延量３に遅延時間３と遅延時間２とを加算したものとなる。
これにより、第１の送信所では遅延量１で、第２の送信所では遅延量２で、第３の送信所では遅延量３で、それぞれ相対遅延時間分遅延させるよう、時刻整合信号発生器４が時刻整合信号をＳＴＬ送信機２を介して各送信所に送信する。
【００２９】
遅延等価器１４，２４，３４は、ＳＴＬ受信機１１、ＴＴＬ受信機２１，３１から入力される時刻整合信号に基づいた遅延量１，２，３を設定し、その遅延量で放送波ＩＦ信号を遅延させる。
また、遅延等価器１４，２４，３４は、入力された信号が時刻整合信号であればその時間整合信号を、入力された信号が放送波ＩＦ信号であればそれを時間整合信号として遅延量１，２，３で遅延させて制御信号折り返し器１５，２５，３５に出力する。
【００３０】
制御信号折り返し器１５，２５，３５は、遅延等価器１４，２４，３４から入力される時刻整合信号を制御線１７，２７，３７を介してスタジオの遅延時間測定器３にループバックする。
【００３１】
また、スタジオの遅延時間測定器３は、ループバックされた時刻整合信号の時間差を測定して時刻整合信号発生器４に出力する。すると、時刻整合信号発生器４は、時刻整合信号の時間差から適正時間差にてループバックされたかどうか判断でき、更に精度良く遅延等価回路１４，２４，３４での遅延量を制御する時刻整合信号を発生させることができるものである。
【００３２】
次に、各送信所における遅延量の制御方法について一連の流れで説明しておく。
まず、スタジオの遅延時間測定器３は、遅延時間測定信号を制御線１７，２７，３７を介して各送信所の制御信号折り返し器１５，２５，３５に送信する。
制御信号折り返し器１５，２５，３５は、遅延時間測定信号を折り返して制御線１７，２７，３７を介して遅延時間測定器３に返信する。
【００３３】
遅延時間測定器３は、遅延時間測定信号の送信と受信のタイミングから各送信所における遅延時間１，２，３を測定し、測定した遅延時間１，２，３を時刻整合信号発生器４に出力する。
時刻整合信号発生器４は、送信所において処理に必要な遅延量と測定した遅延時間を基に各送信所での遅延量１，２，３を決定し、各送信所に各遅延量１，２，３が設定されるよう時刻整合信号を発生させ、ＳＴＬ送信機２を介して各送信所に送信する。
【００３４】
各送信所のＳＴＬ受信機１１、ＴＴＬ受信機２１，３１は、受信した時刻整合信号をＴＴＬ送信機１２，２３に出力すると共に遅延等価器１４，２４，３４に出力する。
遅延等価器１４，２４，３４は、入力された時刻整合信号に基づいて遅延量１，２，３を設定し、当該遅延量に相当する時間の経過後に接続する制御信号折り返し器１５，２５，３５に時刻整合信号を出力する。
制御信号折り返し器１５，２５，３５は、時刻整合信号が入力されると、当該時刻整合信号を制御線１７，２７，３７を介して遅延時間測定器３に送信する。
【００３５】
遅延時間測定器３は、各制御線１７，２７，３７を介して時刻整合信号を受信し、受信した信号の時間差を測定して時刻整合信号発生器４に出力する。
時刻整合信号発生器４は、遅延時間測定器３で測定された時刻整合信号の時間差が本来予定していた適正な時間差であるかどうかを判断し、不適切であれば各送信所に設定した遅延量１，２，３を調整し直す。
【００３６】
また、各送信所の遅延等価器１４，２４，３４は、中継波ＩＦ信号を設定された遅延量１，２，３に従って遅延させて放送波ＩＦ信号として放送用送信機１３，２３，３３に出力すると共に、その遅延させた中継波ＩＦ信号を時刻整合信号として制御信号折り返し器１５，２５，３５に出力する。
【００３７】
制御信号折り返し器１５，２５，３５は、入力される時刻整合信号を制御線１７，２７，３７を介して遅延時間測定器３に出力する。
【００３８】
すると、遅延時間測定器３は受信した時刻整合信号の時間差を測定し、時刻整合信号発生器４に出力する。時刻整合信号発生器４は、遅延時間測定器３で測定された時間差が適正な時間差であるか判定し、不適正であれば再度、適正な時刻整合信号を発生させ、ＳＴＬ送信機２を介して各送信所に時刻整合信号を送信する。
【００３９】
このように、本発明の実施の形態に係るデジタルＴＶ放送システムでは、制御線１７，２７，３７を用いて各送信所からの遅延時間を測定し、当該遅延時間を基にして各送信所から放送用電波が送信されるタイミングが同じになるよう、各送信所における遅延量を決定する時刻整合信号を送信し、遅延等価器１４，２４，３４で受信した遅延量で中継ＩＦ信号を遅延させるようにしているので、各送信所の放送用送信機１３，２３，３３からテレビ受像機１６，２６，３６に放送用電波が同じタイミングで送信され、安定したシステムとすることができる効果がある。
【００４０】
また、本発明の実施の形態に係るデジタルＴＶ放送システムでは、各送信所で設定された遅延量に基づいて遅延された中継波ＩＦ信号を時刻整合信号として制御信号折り返し器１５，２５，３５から制御線１７，２７，３７を介してスタジオの遅延時間測定器３にループバックし、時刻整合信号発生器４でループバックされた信号の時間差が適性であるかどうか判断し、不適正であれば、適正な遅延量となるよう時刻整合信号を生成し、各送信所に再度適正な遅延量を設定するようにしているので、放送用電波が各送信所から送信されるタイミングの精度を向上させることができる効果がある。
【００４１】
また、ＳＴＬ／ＴＴＬ回線区間が気象条件により伝送状態が変化して、この区間の遅延量が変化しても、前述の方法を繰り返し行うとで、スタジオ（演奏所）〜各送信所の遅延時間を整合させることができ、安定なＳＦＮシステムを提供できるものである。
【００４２】
【発明の効果】
本発明によれば、スタジオと各送信所とは制御線で接続され、スタジオには、発信した信号を制御線を介して返信される時間を遅延時間として各々測定する遅延時間測定手段と、遅延時間測定手段にて測定された遅延時間を基にして各送信所からテレビ受像機に放送用電波を送信するタイミングが同じになるよう、各送信所での遅延量を決める遅延量信号を発生させる遅延量信号発生手段と、スタジオで撮影された映像及び音声を変調する変調手段と、変調された信号を送信すると共に遅延量信号を送信する送信手段とが備えられているスタジオであり、各送信所は、スタジオから発信された信号を制御線を介して受信し、遅延時間測定手段に返信する返信手段と、スタジオから送信された信号を受信する受信手段と、受信手段で受信された中継信号を次段へ送信する送信手段と、受信手段で受信された中継信号を受信した当該送信所での遅延量信号に示す遅延量で遅延する遅延手段と、遅延手段で遅延された中継信号を放送電波に変換して送信する放送用送信手段とを備える送信所であり、各送信所の返信手段は、当該送信所における遅延手段で遅延した信号を制御信号として入力し、接続する制御線を介してスタジオの遅延時間測定手段に返信する返信手段であり、遅延時間測定手段は、各制御線を介して返信手段から返信された制御信号の時間差を測定し、測定結果を遅延量信号発生手段に出力する遅延時間測定手段であり、遅延量信号発生手段は、遅延時間測定手段で測定された返信信号の時間差が適正な時間差であるかを判定し、不適正な時間差であれば各送信所での遅延量を調整して遅延量信号を再発生させる遅延量信号発生手段であるデジタルＴＶ放送システムとしているので、テレビ受像機に放送用電波が同じタイミングで送信され、安定したシステムとすることができる効果がある。
【図面の簡単な説明】
【図１】本発明の実施の形態に係るデジタルＴＶ放送システムの構成図である。
【図２】本発明の実施の形態に係るデジタルＴＶ放送システムにおける遅延処理を行うタイミングチャート図である。
【図３】従来のアナログＴＶ放送システムにおけるＳＴＬ／ＴＴＬシステムの構成図である。
【符号の説明】
１…ＢＳＴ−ＯＦＤＭ変調器、  ２…ＳＴＬ送信機、  ３…遅延時間測定器、４…時刻整合信号発生器、  ５…変調器、  １１…ＳＴＬ受信機、１２，２２…ＴＴＬ送信機、  １３，２３，３３…放送用送信機、  １４，２４，３４…遅延等価器、  １５，２５，３５…制御信号折り返し器、  １６，２６，３６…テレビ受像機、  １７，２７，３７…制御線
【図１】
0004416905.tif 000002
【図２】
0004416905.tif 000003
【図３】
0004416905.tif 000004